(57)【要約】      （修正有）【課題】ラップフィルムの捲回ロールを収納する箱型の本体と、本体の前面板の外側に被さる掩蓋片を有する蓋体と、掩蓋片の先端縁に設けられた切断歯とを備え、引き出したラップフィルムを切断歯で切断可能なラップフィルム包装箱において、切断した後のラップフィルムの捲回ロール側先端部を、次の使用時に摘まみやすいように確実に浮き上がらせる。【解決手段】本体１００の前面板１の上縁に連なり、この上縁に沿った折り部８を介して内側に折り返された内面板を設ける一方、前面板１の幅方向の中間部に、逆台形状をなす突出片１７を形成する。この突出片１７は、その上底が間隔をあけて折り部８と対向し、突出片１７の両脚がそれぞれ折り部８との間に間隔をあけて形成された切り欠き部１８ａ，１８ｂによって規定され、突出片１７の下底が両切り欠き部１８ａ，１８ｂを結ぶ切り込み１９によって形成されたものとする。【選択図】図１
2015003760.tif 000002
【特許請求の範囲】
【請求項１】
ラップフィルムの捲回ロールを収納する箱型の本体と、該本体の上面開口を開閉可能に覆うと共に、前記本体の前面板の外側に被さる掩蓋片を有する蓋体と、掩蓋片の先端縁に設けられた切断刃とを備え、前記捲回ロールから前記本体の前記前面板側に引き出したラップフィルムを前記切断刃で切断可能なラップフィルム包装箱において、
前記本体の前面板の上縁に連なり、この上縁に沿った折り部を介して内側に折り返されて前面板に接着された内面板を有している一方、前記前面板の幅方向の中間部に、逆台形状をなす突出片が形成されており、前記突出片の上底が間隔をあけて前記折り部と対向し、前記突出片の両脚がそれぞれ前記折り部との間に間隔をあけて形成された切り欠き部によって規定され、前記突出片の下底が前記両切り欠き部を結ぶ切り込みによって形成されていることを特徴とするラップフィルム包装箱。
【請求項２】
前記突出片が逆等脚台形状をなし、前記両切り欠き部の大きさが等しく、前記突出片の前記下底の長さをＡ、前記両切り欠き部の下辺側の最大幅をそれぞれＢ、前記突出片の前記上底の長さをａ、前記両切り欠き部の上辺側の最大幅をそれぞれｂとした時に、Ａ：Ｂ＝１：０．７〜１：１．２で、ａ：ｂ＝１：０．２〜１：０．１であることを特徴とする請求項１に記載のラップフィルム包装箱。
【請求項３】
前記上底及び前記両切り欠き部と、前記折り部との間の前記間隔をｈ、前記前面板の高さをＨとした時に、ｈ＝Ｈ／３〜Ｈ／１０であることを特徴とする請求項１又は２に記載のラップフィルム包装箱。
【請求項４】
前記内面板の幅をＷとし、Ｌ＝ａ＋２・ｂ＝Ａ＋２・Ｂとした時に、Ｌ＝Ｗ／４〜Ｗ／２であることを特徴とする請求項３に記載のラップフィルム包装箱。
【請求項５】
前記突出片の外面に粘着部が設けられていることを特徴とする請求項１〜４のいずれか一項に記載のラップフィルム包装箱。
【発明の詳細な説明】
【技術分野】
【０００１】
本発明は、箱型の本体内に収納したラップフィルムの捲回ロールから引き出したラップフィルムを、本体の前面板と、蓋体の掩蓋片との間に挟み、掩蓋片の先端部に設けられた切断刃で切断することができるラップフィルム包装箱に関する。
【背景技術】
【０００２】
従来、上記のような切断刃付きの掩蓋片を有するラップフィルム包装箱において、本体の前面板（第１壁体）の上縁に連なり、この上縁に沿った折り部を介して内側に折り返された内面板（第２壁体）を設け、前面板の上部に、上記折り部に両脚部が接する上向きコ字形の切れ目を形成し、この切れ目の内側を突出片としたラップフィルム包装箱が知られている（特許文献１参照）。このラップフィルム包装箱の場合、折り部の弾性反発力によって突出片が外方へ突き出るので、切断した後の捲回ロール側のラップフィルムの先端部を浮かせて摘まみやすくすることができる。
【先行技術文献】
【特許文献】
【０００３】
【特許文献１】特許第４７５３４８１号公報
【発明の概要】
【発明が解決しようとする課題】
【０００４】
しかしながら、従来のラップフィルム包装箱に設けられている突出片は、突出力が弱く、ラップフィルムを十分押し上げにくい問題がある。特に、ラップフィルムの切断時に、掩蓋片上に指を当て、前面板との間にラップフィルムを挟み付けることから、切断の都度突出片が押し込まれる方向に押圧される。このため、当初はラップフィルムを押し上げることができても、徐々に突出力が弱まって、ラップフィルムを十分押し上げられなくなる。
【０００５】
本発明は、上記従来の問題点に鑑みてなされたもので、切断した後のラップフィルムの捲回ロール側先端部を、次の使用時に摘まみやすいように確実に浮き上がらせることができるラップフィルム包装箱を提供することを目的とする。
【課題を解決するための手段】
【０００６】
本発明は、上記目的のために、ラップフィルムの捲回ロールを収納する箱型の本体と、該本体の上面開口を開閉可能に覆うと共に、前記本体の前面板の外側に被さる掩蓋片を有する蓋体と、掩蓋片の先端縁に設けられた切断刃とを備え、前記捲回ロールから前記本体の前記前面板側に引き出したラップフィルムを前記切断刃で切断可能なラップフィルム包装箱において、
前記本体の前面板の上縁に連なり、この上縁に沿った折り部を介して内側に折り返されて前面板に接着された内面板を有している一方、前記前面板の幅方向の中間部に、逆台形状をなす突出片が形成されており、前記突出片の上底が間隔をあけて前記折り部と対向し、前記突出片の両脚がそれぞれ前記折り部との間に間隔をあけて形成された切り欠き部によって規定され、前記突出片の下底が前記両切り欠き部を結ぶ切り込みによって形成されていることを特徴とするラップフィルム包装箱を提供するものである。
【０００７】
また、上記本発明は、前記突出片が逆等脚台形状をなし、前記両切り欠き部の大きさが等しく、前記突出片の前記下底の長さをＡ、前記両切り欠き部の下辺側の最大幅をそれぞれＢ、前記突出片の前記上底の長さをａ、前記両切り欠き部の上辺側の最大幅をそれぞれｂとした時に、Ａ：Ｂ＝１：０．７〜１：１．２で、ａ：ｂ＝１：０．２〜１：０．１であること、
前記上底及び前記両切り欠き部と、折り部との間の前記間隔をｈ、前記前面板の高さをＨとした時に、ｈ＝Ｈ／３〜Ｈ／１０であること、
前記内面板が折り返されて重なった前記前面板の領域の幅をＷとし、Ｌ＝ａ＋２・ｂ＝Ａ＋２・Ｂとした時に、Ｌ＝Ｗ／４〜Ｗ／２であること、
前記突出片の外面に粘着部が設けられていること
をその好ましい態様として含むものである。
【発明の効果】
【０００８】
本発明のラップフィルム包装箱においては、両切り欠き部及び切り込みと、折り部とで挟まれた領域全体に作用する折り部の弾性復帰力によって、突出片の下底側が浮き上がって外方へ突出しようとする。しかし、両切り欠き部と折り部との間にあけられている間隔部分の浮き上がりは、切り欠き部が形成されていない前面板の左右の領域の剛性によって抑えられる。このため、突出片は、その下底側の中央部が最も大きく浮き上がり、両側部の浮き上がりが抑えられた湾曲した状態で外方へ突出する。すなわち、本発明における突出片は、いわば折り部をヒンジ部として全体が等角度で傾動して突出するのではなく、突出部の下底及び両切り欠き部と、折り部との間にあけられた間隔部分に生ずる歪によって突出するものであり、突出力が強く、押し込まれにくいので、切断した後の捲回ロール側先端部を、次の使用時に摘まみやすいように確実に浮き上がらせることができる
【図面の簡単な説明】
【０００９】
【図１】本発明の一例に係るラップフィルム包装箱の開封後の状態を示す斜視図である。
【図２】図１に示されるラップフィルム包装箱の中央部の拡大縦断面図である。
【図３】図１に示されるラップフィルム包装箱を構成するブランクを示す平面図である。
【図４】図１に示されるラップフィルム包装箱を開封する途中の状態を示す斜視図である。
【発明を実施するための形態】
【００１０】
以下、図１〜図４に基づいて本発明の一例を説明する。以下に参照する図面において、同じ符号は同様の構成要素を示す。また、図３における一点鎖線は折りラインを示し、（８）として示す折りラインは後述する折り部８を形成する折りラインを示す。
【００１１】
本例のラップフィルム包装箱は、長方形の箱型の本体１００と、本体１００の上面開口を開閉可能に覆う蓋体２００を備えている。本ラップフィルム包装箱は、通常、厚紙を打ち抜いた図３に示されるようなブランクから構成されている。
【００１２】
本体１００は、前面板１、底面板２、背面板３及び側面板４ａ，４ｂを備えている。前面板１の下縁と背面板２の下縁はそれぞれ底面板２の前縁と後縁に連接されており、側面板４ａ，４ｂの下縁は底面板２の両側縁に連接されている。前面板１の両側縁には補助片５ａ，５ｂ（図２，３参照）が連接され、背面板３の両側縁には補助片６ａ，６ｂ（図２，３参照）が連接されている。前面板１、背面板３及び左右の側面板４ａ，４ｂは、底面板２の四周を囲むように立ち上げられ、補助片５ａ，５ｂと補助片６ａ，６ｂとをそれぞれ側面板４ａ，４ｂの内面に宛がって接着することで上面が開放された箱型の本体１００を構成している。また、前面板１の上縁には内面板７が連なり、前面板１の上縁に沿った折り部８を介して内側に折り返されて、前面板１の内面に重ねられ、前面板１に接着されている。
【００１３】
蓋体２００は、上面板９、掩蓋片１０及び側端板１１ａ，１１ｂを備えている。上面板９の後縁は背面板３の上縁に連接され、上面板９の前縁に掩蓋片１０の上縁が連接されている。掩蓋片１０には、掩蓋片１０の先端側を分離するためのミシン目等の切り離しライン１２が設けられていると共に、この切り離しライン１２より上面板９側の両側縁には補助片１３ａ，１３ｂ（図２，３参照）が連なっている。上面板９は、背面板３の上縁から本体１００の開口部側に傾動可能に折られ、掩蓋片１０及び側端板１１ａ，１１ｂはそれぞれ上面板９から下向きに折られ、補助片１３ａ，１３ｂをそれぞれ側端板１１ａ，１１ｂの内面に宛がって接着することで蓋体２００を構成している。
【００１４】
本ラップフィルム包装箱は、本体１００内にラップフィルム１４の捲回ロール１５を収納し、蓋体２００を閉じ、本体１００の前面板１の外面に重なる蓋体２００の掩蓋片１０の切り離しライン１２より先端側を前面板１に接合することで、封止された包装体を構成する。その開封は、図４に示されるように、掩蓋片１０の先端側を、切り離しライン１２を介して切り離すことで行われる。この開封により、残った掩蓋片１０の先端縁に設けられた切断刃１６が露出する。ラップフィルム１４は、捲回ロール１５から必要な側だけ本体１００の前面板１側に引き出され、掩蓋片１０と前面板１の間に挟み付けた状態で切断刃１６を擦り付けることで切断することができる。
【００１５】
本発明のラップフィルム包装箱は、その本体１００の前面板１に突出片１７が形成されている。突出片１７は、上底が下底より長い逆台形状をなし、前面板１の幅方向（両側面板４ａ，４ｂの対向方向）の中間部で、蓋体２００を閉めた時に掩蓋片１０で覆われる高さに形成されている。突出片１７の上底は間隔をあけて折り部８と対向し、突出片１７の両脚がそれぞれ折り部８との間に間隔をあけて形成された切り欠き部１８ａ，１８ｂによって規定され、突出片１７の下底が両切り欠き部１８ａ，１８ｂを結ぶ切り込み１９によって形成されている。突出片１７の下底側は、切り欠き部１８ａ，１８ｂと切り込み部１９によって自由端側となっており、突出片１７の上底側は、上底と折り部８間に設けた間隔を介して前面板１に連なっている。突出片１７及び両切り欠き部１８ａ，１８ｂの内面側には内面板７が位置しており、突出片１７の外方への突出と、両切り欠き部１８ａ，１８ｂの存在による、本体１００内への異物の侵入を防止できるようになっている。
【００１６】
上記のような突出片１７とすると、効果の欄でも説明したように、両切り欠き部１８ａ，１８ｂ及び切り込み１９と、折り部８とで挟まれた領域全体に作用する折り部８の弾性復帰力によって、突出片１７の下底側が浮き上がって外方へ突出しようとする。しかし、両切り欠き部１８ａ，１８ｂと、折り部８との間にあけられている間隔部分の浮き上がりは、切り欠き部１８ａ，１８ｂが形成されていない前面板１の左右の領域の剛性によって抑えられる。このため、突出片１７は、その下底側の中央部が最も大きく浮き上がり、両側部の浮き上がりが抑えられた湾曲した状態で外方へ突出する。切断刃１６で切断した後のラップフィルム１４の捲回ロール１５側の端部は、この突出片１７上に被さり、前面板１から浮き上げられて、次に使用する際に摘まみやすい状態で支持されることになる。また、内面板７が前面板１の内面に接着されていることで、内面板７が本体１００の内方へ開いて折り部８の弾性復帰力が弱まり、突出片１７が十分突出できなくなるのが防止されている。
【００１７】
図示される突出片１７は逆等脚台形状をなし、両切り欠き部１８ａ，１８ｂの大きさは等しいものとなっている。図３に示されるように、この突出片１７の下底の長さをＡ、両切り欠き部１８ａ，１８ｂの下辺側の最大幅をそれぞれＢ、突出片１７の上底の長さをａ、両切り欠き部１８ａ，１８ｂの上辺側の最大幅をそれぞれｂとした時に、Ａ：Ｂ＝１：０．７〜１：１．２で、ａ：ｂ＝１：０．２〜１：０．１であることが好ましい。Ａに対するＢの比率及びａに対するｂの比率の両者が上記範囲より小さくなると突出部１７の十分な突出力が得にくくなりやすい。逆に、Ａに対するＢの比率及びａに対するｂの比率の両者が大きくなりすぎると、突出部１７の突出力が大きくなりすぎて、蓋体２００を閉じにくくなりやすい。
【００１８】
図示される両切り欠き片１８ａ，１８ｂの上側の辺は折り部８と平行に形成されており、両切り欠き片１８ａ，１８ｂの上側の辺の延長線上に突出部１７の上底が位置している。また、両切り欠き片１８ａ，１８ｂの下側の辺も折り部８と平行に形成されている。図示される突出片１７の下底は両切り欠き片１８ａ，１８ｂの下側の辺の延長線より若干下方に形成されているが、両切り欠き片１８ａ，１８ｂの下側の辺の延長線上に位置させてもよい。
【００１９】
図３に示されるように、突出片１７の上底及び両切り欠き部１８ａ，１８ｂと、折り部８との間の間隔をｈ、前面板の高さをＨとした時に、ｈ＝Ｈ／３〜Ｈ／１０であることが好ましい。Ｈに対してｈが大きくなりすぎても小さくなりすぎても突出片１７の突出力が不十分になりやすい。
【００２０】
図示される例の内面板７は、前面板１の上縁の全長に亘って連なっているが、突出部１７、両切り欠き部１８ａ，１８ｂ及び切り込み１９が、内面板７が折り返されて重なった前面板１の領域の中間部に形成されていれば、前面板１の幅より狭い幅の内面板７とすることもできる。また、内面板７の幅をＷとし、Ｌ＝ａ＋２・ｂ＝Ａ＋２・Ｂとした時に、Ｌ＝Ｗ／４〜Ｗ／２であることが好ましい。ＬがＷに対して小さすぎても大きすぎても突出片１７の突出力が不十分になりやすくなる。
【００２１】
突出片１７の外面には、粘着性の巻き戻り防止膜２０を設けておくことが好ましい。巻き戻り防止膜２０としては、主剤としてゴム系、ポリウレタン系、アクリル樹脂系等の粘弾性ポリマーを用い、前記主剤にロジン系、石油樹脂等の粘着付与樹脂を配合した粘着剤を用いることができ、このような粘着剤を塗布したり、シール状にして貼着させることで設けることができる。巻き戻り防止膜２０を突出片１７の外面に設けておくと、切断時にラップフィルム１４を掩蓋片１０と前面板１との間に挟み付けた時に、ラップフィルム１４を巻き戻り防止膜２０へ密着させることができる。そして、これによって、切断後、ラップフィルム１４の捲回ロール１５側の切断端部が本体１００内へ引き込まれて捲回ロール１５に張り付いてしまうのを防止することができる。
【００２２】
本発明に係るラップフィルム包装箱を構成する厚紙としては、坪量３２５〜５５０ｇ／ｍ２のコート紙を好ましく用いることができる。坪量が大きすぎると突出片１７の突出力が大きくなりすぎやすく、逆に小さすぎると突出片１７の突出力が不足しやすくなる。
【実施例】
【００２３】
実施例
坪量３６０ｇ／ｍ２のコート紙を用い、本体の幅（Ｗ）が３１２ｍｍ、高さ（Ｈ）が４２ｍｍ、奥行きが４４ｍｍで、図３に示されるようなブランクの本発明に係るラップフィルム包装箱を作製した。なお、Ａ＋２・Ｂ＝ａ＋２・ｂ＝Ｌ＝１４１ｍｍ、内面板の幅と高さは前面板と揃えた。
【００２４】
作成したラップフィルム包装箱のＡ：Ｂとａ：ｂは次の３種類とした。
【００２５】
サンプル１
Ａ：Ｂ＝１：０．３
ａ：ｂ＝１：０．３
サンプル２
Ａ：Ｂ＝１：１．２
ａ：ｂ＝１：０．３５
サンプル３
Ａ：Ｂ＝１：０．９
ａ：ｂ＝１：０．２
【００２６】
上記サンプル１〜３について、それぞれ蓋体の開閉とラップフィルムの切断作業を繰り返し、蓋体の開閉のしやすさと、ラップフィルムの切断端部の摘まみやすさを調べた。
【００２７】
その結果、サンプル１は蓋体の開閉には問題は認められなかったが、突出片の突出力がやや弱く、使用を繰り返すうちに徐々に突出片の突出量が少なくなる傾向が認められた。
【００２８】
サンプル２は、突出片の突出力が強く、蓋体を閉じるときに突出片が邪魔になりやすい傾向が認められたが、ラップフィルムの摘まみやすさには問題は認められなかった。
【００２９】
サンプル３は、突出片の突出力が最も適当で、蓋体の開閉のしやすさと、ラップフィルムの摘まみやすさのいずれについても問題は認められなかった。
【符号の説明】
【００３０】
１００  本体
２００  蓋体
１  前面板
２  底面板
３  背面板
４ａ，４ｂ  側面板
５ａ，５ｂ  補助片
６ａ，６ｂ  補助片
７  内面板
８  折り部
９  上面板
１０  掩蓋片
１１ａ，１１ｂ  側端板
１２  切り離しライン
１３ａ，１３ｂ  補助片
１４  ラップフィルム
１５  捲回ロール
１６  切断刃
１７  突出片
１８ａ，１８ｂ  切り欠き部
１９  切り込み
２０  巻き戻り防止膜
【図１】
2015003760.tif 000003
【図２】
2015003760.tif 000004
【図３】
2015003760.tif 000005
【図４】
2015003760.tif 000006